(57)【要約】【課題】開放上面を床面に開口させて床に埋設されたＵ字状溝本体の底部に排水が流れるようにした排水溝構造において，排水中の異物を排水溝内にスムーズに流入，落下させ得るようにして衛生的であり，また必要に応じ溝本体の開放上面を広く開放可能として，専用ブラシを要することなく溝内の清掃を容易に且つ的確に行なえるようにし，清掃状況の目視による確認も容易にする。【解決手段】スリット状開口Ｓを相互間に残して溝本体Ｍの開放上面Ｏを互いに協働して閉じるための左，右可動蓋片Ｔ，Ｔが，溝本体Ｍの左，右側壁部２，３に所定の閉じ位置Ｔｓと開き位置Ｔｏとの間を移動操作し得るよう設けられ，その左，右可動蓋片Ｔ，Ｔは，それらが閉じ位置Ｔｓにあるときにはスリット状開口Ｓ付きの溝蓋として機能し，また開き位置Ｔｏにあるときにはスリット状開口Ｓよりも幅広く溝本体Ｍの開放上面Ｏを開放する。【選択図】　　図１
2004019104.tif 000002
【特許請求の範囲】
【請求項１】
排水溝（Ｇ）を形成する横断面Ｕ字状の溝本体（Ｍ）が，その開放上面（Ｏ）を床面（ｆ）に開口させて床（Ｆ）に埋設され，該溝本体（Ｍ）の底部に溝長手方向に沿って排水が流れるようにした排水溝構造において，
溝長手方向に沿って延びるスリット状開口（Ｓ）を相互間に残して溝本体（Ｍ）の開放上面（Ｏ）を互いに協働して閉じるための左，右可動蓋片（Ｔ，Ｔ）を備え，
前記左，右可動蓋片（Ｔ，Ｔ）は溝本体（Ｍ）の左，右側壁部（２，３）に，その各可動蓋片（Ｔ）がそれぞれ所定の閉じ位置（Ｔｓ）と開き位置（Ｔｏ）との間を移動操作し得るように設けられており，
その左，右可動蓋片（Ｔ，Ｔ）は，それらが前記閉じ位置（Ｔｓ）にあるときには上面が床面（ｆ）と略面一となって前記スリット状開口（Ｓ）付きの溝蓋として機能し，また前記開き位置（Ｔｏ）にあるときには前記スリット状開口（Ｓ）よりも幅広く溝本体（Ｍ）の開放上面（Ｏ）を開放することを特徴とする，排水溝構造。
【請求項２】
排水溝（Ｇ）を形成する横断面Ｕ字状の溝本体（Ｍ）が，その開放上面（Ｏ）を床面（ｆ）に開口させて床（Ｆ）に埋設され，該溝本体（Ｍ）の底部に溝長手方向に沿って排水が流れるようにした排水溝構造において，
溝長手方向に沿って延びるスリット状開口（Ｓ）を相互間に残して溝本体（Ｍ）の開放上面（Ｏ）を互いに協働して閉じるための左，右可動蓋片（Ｔ，Ｔ）を備え，
前記左，右可動蓋片（Ｔ，Ｔ）は溝本体（Ｍ）の左，右側壁部（２，３）に，その各可動蓋片（Ｔ）がそれぞれ所定の閉じ位置（Ｔｓ）と開き位置（Ｔｏ）との間を起伏回動操作し得るようにヒンジ機構（Ｈ）を介して連結されており，
その左，右可動蓋片（Ｔ，Ｔ）は，それらが前記閉じ位置（Ｔｓ）にあるときには上面が床面（ｆ）と略面一となって前記スリット状開口（Ｓ）付きの溝蓋として機能し，また前記開き位置（Ｔｏ）にあるときには前記スリット状開口（Ｓ）よりも幅広く溝本体（Ｍ）の開放上面（Ｏ）を開放することを特徴とする，排水溝構造。
【請求項３】
前記各可動蓋片（Ｔ）は横断面が略チャンネル状に形成され，その各可動蓋片（Ｔ）が前記閉じ位置（Ｔｓ）にあるときに該可動蓋片（Ｔ）の内部に，対応する前記ヒンジ機構（Ｈ）の少なくとも一部が格納されることを特徴とする，請求項２に記載の排水溝構造。
【請求項４】
各可動蓋片（Ｔ）は，溝長手方向に互いに間隔をおいて配設した複数の前記ヒンジ機構（Ｈ）を介して溝本体（Ｍ）の対応する側壁部（２，３）にそれぞれ連結され，その各ヒンジ機構（Ｈ）は２本のリンク（Ｌ１，Ｌ２）を有し，それらリンク（Ｌ１，Ｌ２）の各一端は各可動蓋片（Ｔ）に互いに異なる位置で枢軸（８ａ，８ｂ）を介してそれぞれ回動可能に連結され，またそれらリンク（Ｌ１，Ｌ２）の各他端は，溝本体（Ｍ）の対応する側壁部（２，３）にそれぞれ枢軸（９ａ，９ｂ）を介して回動可能に連結されることを特徴とする，請求項２又は３に記載の排水溝構造。
【発明の詳細な説明】
【０００１】
【発明の属する技術分野】
本発明は，排水溝を形成する横断面Ｕ字状の溝本体が，その開放上面を床面に開口させて床に埋設され，該溝本体の底部に溝長手方向に沿って排水が流れるようにした排水溝構造に関する。
【０００２】
【従来の技術】
従来，上記排水溝形成体としては，例えば，図５に例示したように溝本体Ｍ′を，円筒状の本体部と，その本体部の上端に一体に立設され該本体部内と直接連通した幅狭のスリット状水導入部Ｗとより構成すると共に，その水導入部Ｗの上端を床面に常時開口させるようにして蓋板を省略し，その水導入部Ｗの開口から溝本体Ｍ′内に床面上の排水を導入するようにしたものが知られている。
【０００３】
この従来構造のように床面にスリット状の水導入部Ｗを常時開口させるものでは，その水導入部Ｗの開口幅に制約があり，即ち，その幅は，厨房や食品工場等で使用されるワゴンの車輪幅や歩行者の安全（躓き防止）を考慮してば２０ｍｍ程度以下に制限されている。
【０００４】
【発明が解決しようとする課題】
上記従来の排水溝構造では，排水と一緒に床を伝って排水溝内に侵入しようとする異物をスリット状の水導入部Ｗから溝内にスムーズに流入，落下させることができるため，格子状の蓋でＵ字状溝本体の開放上面を覆うような排水溝構造と比べて，異物の引っ掛かりが少なく，衛生的である等の利点がある。
【０００５】
その反面，上記従来構造では，床面に常時開口する上記水導入部Ｗの幅が比較的狭いため，専用ブラシでなければ清掃が行えない上，専用ブラシを使用しても清掃がしにくく，また清掃状況の目視による確認作業が行ないづらい問題がある。また，幅狭の水導入部Ｗには手が入らないため，排水溝内に落とし物をした場合にそれを枡部分まで移動させて拾わなければならない等の問題もある。
【０００６】
本発明は，上記に鑑み提案されたもので，従来構造の利点を生かしながら，上記問題を簡単な構成で解決できるようにした排水溝構造を提供することを目的としている。
【０００７】
【課題を解決するための手段】
前記目的を達成するために，請求項１の発明は，排水溝を形成する横断面Ｕ字状の溝本体が，その開放上面を床面に開口させて床に埋設され，該溝本体の底部に溝長手方向に沿って排水が流れるようにした排水溝構造において，溝長手方向に沿って延びるスリット状開口を相互間に残して溝本体の開放上面を互いに協働して閉じるための左，右可動蓋片を備え，前記左，右可動蓋片は溝本体の左，右側壁部に，その各可動蓋片がそれぞれ所定の閉じ位置と開き位置との間を移動操作し得るように設けられており，その左，右可動蓋片は，それらが前記閉じ位置にあるときには上面が床面と略面一となって前記スリット状開口付きの溝蓋として機能し，また前記開き位置にあるときには前記スリット状開口よりも幅広く溝本体の開放上面を開放することを特徴とする。
【０００８】
また請求項２の発明は，排水溝を形成する横断面Ｕ字状の溝本体が，その開放上面を床面に開口させて床に埋設され，該溝本体の底部に溝長手方向に沿って排水が流れるようにした排水溝構造において，溝長手方向に沿って延びるスリット状開口を相互間に残して溝本体の開放上面を互いに協働して閉じるための左，右可動蓋片を備え，前記左，右可動蓋片は溝本体の左，右側壁部に，その各可動蓋片がそれぞれ所定の閉じ位置と開き位置との間を起伏回動操作し得るようにヒンジ機構を介して連結されており，その左，右可動蓋片は，それらが前記閉じ位置にあるときには上面が床面と略面一となって前記スリット状開口付きの溝蓋として機能し，また前記開き位置にあるときには前記スリット状開口よりも幅広く溝本体の開放上面を開放することを特徴とする。
【０００９】
上記請求項１，２の特徴によれば，排水と一緒に床を伝って排水溝内に向かう異物を，閉じ位置にある左，右可動蓋片の相互間に形成されたスリット状開口から排水溝内にスムーズに流入，落下させることができ，異物の引っ掛かり易い格子状の蓋は不要となり，衛生的である。また左右の可動蓋片を開き位置に移動させれば，溝本体の開放上面を広く開放できるから，専用ブラシを必要とすることなく溝内の清掃を容易に且つ的確に行なうことができ，また清掃状況の目視による確認作業も難なく行なうことができる。また左右の可動蓋片を開き位置に移動させることで溝内に手が入り易くなるため，排水溝内に落とし物をした場合でも容易に拾うことができる。また溝蓋を，左，右可動蓋片に分割構成したことで，個々の可動蓋片を極力小型軽量化でき，それらの取扱い操作が簡便となる。また特に請求項２の特徴によれば，各可動蓋片が溝本体の左，右側壁部にそれぞれ回動可能にヒンジ連結されることから，各可動蓋片をよりスムーズ且つ軽快に開閉操作することが可能となる。
【００１０】
また請求項３の発明は，請求項２の上記特徴に加えて，前記各可動蓋片は横断面が略チャンネル状に形成され，その各可動蓋片が前記閉じ位置にあるときに該可動蓋片の内部に，対応する前記ヒンジ機構の少なくとも一部が格納されることを特徴とし，この請求項３の特徴によれば，各可動蓋片の開閉動作を案内するヒンジ機構を各可動蓋片の内部に体裁よく収納できる。
【００１１】
また請求項４の発明は，請求項２又は３の上記特徴に加えて，各可動蓋片は，溝長手方向に互いに間隔をおいて配設した複数の前記ヒンジ機構を介して溝本体の対応する側壁部にそれぞれ連結され，その各ヒンジ機構は２本のリンクを有し，それらリンクの各一端は各可動蓋片に互いに異なる位置で枢軸を介してそれぞれ回動可能に連結され，またそれらリンクの各他端は，溝本体の対応する側壁部にそれぞれ枢軸を介して回動可能に連結されることを特徴とし，この特徴によれば，２本のリンクの長さや枢軸の位置の適宜設定により，例えば閉じ位置にある可動蓋片の上面部が，開き位置では溝本体の開口縁よりも外側に偏位するように可動蓋片を効率よく（即ちリンク回動角の割に可動蓋片を大きく）開き動作させることができ，可動蓋片を開き位置に保持した状態で溝本体の開放上面を一層広範囲に開放可能として溝内の清掃作業等をより行ない易くすることができる。
【００１２】
【発明の実施の形態】
本発明の実施の形態を，添付図面に例示した本発明の実施例に基づいて以下に具体的に説明する。
【００１３】
添付図面において，図１〜図４は，本発明の一実施例を示すものであって，図１は全体斜視図，図２は図１の２−２線断面図，図３は，図２の３矢視部拡大断面図，図４は，可動蓋片の開閉過程を示す説明図である。
【００１４】
先ず，図１〜３において，床スラブ等の床ベースＳＢ上にモルタルコンクリートＣを打設されて形成される床Ｆには，排水溝形成体Ａが埋設されており，この排水溝形成体Ａにより，床面ｆを伝って流れる排水を内部に導入させて外部に排出するための排水溝Ｇが形成される。
【００１５】
その排水溝形成体Ａは，横断面円弧状の底板１とその底板１の左，右両側よりそれぞれ一体に起立した左，右側板２，３とを有して床Ｆに埋設される横断面Ｕ字状の溝本体Ｍと，溝長手方向に沿って延びるスリット状開口Ｓを相互間に残して溝本体Ｍの開放上面Ｏを互いに協働して閉じるための左，右可動蓋片Ｔ，Ｔとを備えており，その左，右可動蓋片Ｔ，Ｔ及び溝本体Ｍは，図示例では防錆処理を施された金属材料製とされる。
【００１６】
また左，右可動蓋片Ｔ，Ｔは，溝長手方向に所定の長さ（例えば１５００ミリ）に形成され，これよりも溝本体Ｍが長い場合には，その全長に応じて適宜長さの複数の可動蓋片Ｔ…が溝長手方向に縦列配置されて使用される。
【００１７】
溝本体Ｍの底部，即ち底板１には溝Ｇの長手方向一方側から他方側に下り勾配が付されており，該溝Ｇの長手方向一方側から他方側に排水が流れるようになっている。
【００１８】
溝本体Ｍの開口部上端，即ち左，右側板２，３の上端には，外向きのＬ字状フランジ２ａ，３ａが一体に連設され，該フランジ２ａ，３ａの上面は床面ｆと面一とされる。
【００１９】
また溝本体Ｍの左，右外側面，即ち左，右側板２，３の外面には，その長手方向に間隔をおいて各々複数の取付枠２ｂ，３ｂが互いに間隔をおいて固定される。そして，溝本体Ｍは，床ベースＳＢ上にコンクリートＣが打設される前の状態において，前記取付枠２ｂ，３ｂに高さ調節可能に連結され且つ床ベースＳＢ上に立設される左右各複数対の支持脚４により，床ベースＳＢ上に任意高さに支持される。
【００２０】
左，右の各可動蓋片Ｔ，Ｔは，溝本体Ｍの左，右内側面（即ち左，右側板２，３の開放上面Ｏ寄りの内側面）に，その各可動蓋片Ｔがそれぞれ所定の閉じ位置Ｔｓと開き位置Ｔｏとの間をそれぞれ起伏回動操作し得るようにヒンジ機構Ｈを介して連結，支持される。尚，前記ヒンジ機構Ｈは，１個の可動蓋片Ｔにつき，溝長手方向に間隔をおいて複数ずつ配設される。
【００２１】
左，右の各可動蓋片Ｔ，Ｔは，それらが前記閉じ位置Ｔｓにあるときには上面が床面ｆと略面一となって前記スリット状開口Ｓ付きの溝蓋として機能し，また前記開き位置Ｔｏにあるときには該スリット状開口Ｓよりも幅広く広範囲に溝本体Ｍの開放上面Ｏを開放する。
【００２２】
また左，右の各可動蓋片Ｔ，Ｔは，各々矩形平板状の表板部５及び裏板部６と，その両板部５，６の先端間を一体に接続する先板部７とから横断面が略チャンネル状に形成されており，各々の可動蓋片Ｔの内部に，該可動蓋片Ｔが閉じ位置Ｔｓにあるときに複数のヒンジ機構Ｈの大部分が体裁よく格納，隠蔽される。
【００２３】
前記表板部５は，各可動蓋片Ｔが閉じ位置Ｔｓにあるときに床面ｆと略面一となって床面ｆの一部を構成し，このとき，その基端５ｓが溝本体Ｍの開口縁（即ち対応する側板２の上端）に当接する。またその表板部５は，各可動蓋片Ｔが開き位置Ｔｏにあるときに溝本体Ｍの開放上面Ｏよりも外側で略鉛直に起立し，このとき，その基端５ｓが前記フランジ２ａ又は床面ｆに当接することで，該可動蓋片Ｔの起立姿勢（開き位置Ｔｏ）が保持される。
【００２４】
また前記裏板部６は，各可動蓋片Ｔが閉じ位置Ｔｓにあるときに溝本体Ｍの開放上面Ｏの中央に向かって上向きに傾斜し，また各可動蓋片Ｔが開き位置Ｔｏにあるときに該開放上面Ｏの中央に向かって下向きに傾斜する。その裏板部６の基端には，該裏板部６の主要部と角度をなしてストッパ部６ｓが一体に形成され，このストッパ部６ｓは，各可動蓋片Ｔが閉じ位置Ｔｓにあるときに溝本体Ｍの対応する側板２の内側面に係合して各可動蓋片Ｔを閉じ位置Ｔｓに保持する。
【００２５】
さらに左，右可動蓋片Ｔ，Ｔの前記先板部７は，各可動蓋片Ｔが閉じ位置Ｔｓにあるときに溝本体Ｍの開放上面Ｏの中央位置で相対向して相互間に前記スリット状開口Ｓを形成し，また各可動蓋片Ｔが開き位置Ｔｏにあるときに各可動蓋片Ｔの最頂部で略水平となる。
【００２６】
次に前記ヒンジ機構Ｈの構造を説明する。各ヒンジ機構Ｈは，可動蓋片Ｔの内壁に固着された第１ヒンジブラケットＢ１と，溝本体Ｍの対応する側板２の内側面上部に固着された第２ヒンジブラケットＢ２と，その両ヒンジブラケットＢ１，Ｂ２間に介装される２本のリンクＬ１，Ｌ２とを備えている。それらリンクＬ１，Ｌ２の各一端は各可動蓋片Ｔ側の第１ヒンジブラケットＢ１に互いに異なる位置で枢軸８ａ，８ｂを介してそれぞれ回動可能に連結され，またそれらリンクＬ１，Ｌ２の各他端は，溝本体Ｍ側の第２ヒンジブラケットＢ２に互いに異なる位置で枢軸９ａ，９ｂを介して回動可能に連結される。
【００２７】
次に前記実施例の作用を説明する。排水溝付きの床Ｆを施工するに当たっては，先ず，コンクリートＣが打設される前の床ベースＳＢ上に溝本体Ｍを支持脚４を介して所定レベルに支持し，その際のレベル設定は，溝本体Ｍの上端が床面ｆの設定高さと一致するようになされる。次いで，床ベースＳＢ上にコンクリートＣを打設して床Ｆを施工し，これと同時に溝本体Ｍが該床Ｆに一体的に埋設され，その溝本体Ｍの開放上面Ｏが床面ｆに開口する。
【００２８】
このようにして床Ｆに溝本体Ｍの断面形状に対応したＵ字状の排水溝Ｇが形成され，その開放上面Ｏは，閉じ位置Ｔｓの左，右可動蓋片Ｔ，Ｔにより，溝長手方向に沿うスリット状開口Ｓを残して覆われる。この場合，閉じ位置Ｔｓの左，右可動蓋片Ｔ，Ｔの上面（表板部５の上面）は，床面ｆと略面一となって，床面ｆの一部を構成するので，歩行者が躓いたりワゴンの車輪が引っ掛かる心配はない。
【００２９】
而して排水と一緒に床面ｆを伝って排水溝Ｇ内に向かう食品屑や残菜等の異物を，閉じ位置Ｔｓの左，右可動蓋片Ｔ，Ｔ間のスリット状開口Ｓから溝本体Ｍ内にスムーズに流入，落下させることができるため，異物の引っ掛かり易い格子状の蓋は不要となり，衛生的である。また左右の可動蓋片Ｔ，Ｔを開き位置Ｔｏに起立回動させれば，溝本体Ｍの開放上面Ｏを幅広く広範囲に開放できるから，専用ブラシを必要とすることなく溝内の清掃を容易に且つ的確に行なうことができ，また清掃状況の目視による確認作業も難なく行ない得る。
【００３０】
また左右の可動蓋片Ｔ，Ｔを開き位置Ｔｏに回動させることで溝内に手が入り易くなるため，溝内に落とし物をした場合でもこれを容易に拾うことができる。さらに溝蓋を左，右の可動蓋片Ｔ，Ｔより分割構成したことで，個々の可動蓋片Ｔの形状，構造を極力小型，軽量化でき，それらの取扱い操作が簡便となる。また図示例のように各可動蓋片Ｔが溝本体Ｍの左，右側板２，３にそれぞれ回動可能にヒンジ連結することで，個々の可動蓋片Ｔをよりスムーズ且つ軽快に開閉操作することが可能となる。
【００３１】
また各可動蓋片Ｔを開閉回動可能に支持するヒンジ機構Ｈは，２本のリンクＬ１，Ｌ２を有していて，それらリンクＬ１，Ｌ２の各一端は各可動蓋片Ｔに互いに異なる位置で枢軸８ａ，８ｂを介してピボット連結され，またそれらリンクＬ１，Ｌ２の各他端は，溝本体Ｍの対応する側板２，３にそれぞれ枢軸９ａ，９ｂを介してピボット連結されるため，その２本のリンクＬ１，Ｌ２の長さや枢軸８ａ，８ｂ，９ａ，９ｂの位置の適宜設定することにより，例えば図示例の如く，閉じ位置Ｔｓにある可動蓋片Ｔの上面部（表板部５）が，開き位置Ｔｏでは溝本体Ｍの開口縁よりも外側に偏位するように可動蓋片Ｔを効率よく（即ちリンク回動角の割に可動蓋片Ｔをせり上がりながら溝開口の外方に大きく開くように）回動させることが可能であり，しかもその回動の際の可動蓋片Ｔ（表板部５の基端５ｓ）と溝開口縁との相互干渉を無理なく回避することが可能である。かくして，可動蓋片Ｔを開き位置Ｔｏに保持した状態で溝本体Ｍの開放上面Ｏを一層，広範囲に開放可能とし，溝内の清掃作業等をより行ない易くすることができる。
【００３２】
以上，本発明の実施例を詳述したが，本発明は前記実施例に限定されるものでなく，種々の小設計変更を行うことが可能である。
【００３３】
例えば，前記実施例では，ヒンジ機構Ｈとして４つの枢軸８ａ，８ｂ，９ａ，９ｂを有する２本リンク式のヒンジ機構（四節回転連鎖機構）としたものを示したが，本発明では，１本リンク式のヒンジ機構としてもよく，またリンクを省略して可動蓋片Ｔを溝本体Ｍに枢軸を介して直接にピボット連結してもよい。
【００３４】
また前記実施例では，可動蓋片Ｔ及び溝本体Ｍをそれぞれ金属製としたが，本発明では，可動蓋片Ｔ及び溝本体Ｍの少なくとも一つを金属以外の，合成樹脂その他の材料で形成してもよい。
【００３５】
【発明の効果】
以上のように本発明によれば，排水と一緒に床を伝って排水溝内に向かう異物を，閉じ位置にある左，右可動蓋片の相互間に形成されたスリット状開口から排水溝内にスムーズに流入，落下させることができるので，異物の引っ掛かり易い格子状の蓋は不要となり，衛生的である。また左右の可動蓋片を開き位置に移動させれば，溝本体の開放上面を広く開放できるから，専用ブラシを必要とすることなく溝内の清掃を容易に且つ的確に行なうことができ，また清掃状況の目視による確認作業も難なく行なうことができ，全体として作業能率の向上に大いに寄与することができる。また左右の可動蓋片を開き位置に移動させることで，溝内に手が入り易くなるから，排水溝内に落とし物をした場合でも，容易に拾うことができる。さらに溝蓋を，左，右可動蓋片に分割構成したことで，個々の可動蓋片を極力小型軽量化でき，それらの取扱い操作が簡便となる。
【００３６】
また特に請求項２の発明によれば，各可動蓋片がヒンジ機構を介して溝本体の左，右側壁部に回動可能にヒンジ連結されるため，各可動蓋片をよりスムーズ且つ軽快に開閉操作することが可能となる。
【００３７】
また特に請求項３の発明によれば，各可動蓋片の開閉動作を案内するヒンジ機構を各可動蓋片の内部に体裁よく収納できる。
【００３８】
また特に請求項４の発明によれば，２本のリンクの長さや枢軸の位置の適宜設定により，例えば閉じ位置にある可動蓋片の上面部が，開き位置では溝本体の開口縁よりも外側に偏位するように可動蓋片を効率よく開き動作させることができ，可動蓋片を開き位置に保持した状態で溝本体の開放上面を一層広範囲に開放可能として溝内の清掃作業等をより行ない易くすることができる。
【図面の簡単な説明】
【図１】本発明の一実施例を示す全体斜視図
【図２】図１の２−２線断面図
【図３】図２の３矢視部拡大断面図
【図４】可動蓋片の開閉過程を示す説明図
【図５】従来例を示す図２対応図
【符号の説明】
Ｆ・・・床
ｆ・・・床面
Ｇ・・・排水溝
Ｈ・・・ヒンジ機構
Ｌ１，Ｌ２・・・リンク
Ｍ・・・溝本体
Ｏ・・・開放上面
Ｓ・・・スリット状開口
Ｔ・・・可動蓋片
Ｔｏ・・開き位置
Ｔｓ・・閉じ位置
２・・・左側板（側壁部）
３・・・右側板（側壁部）
８ａ，８ｂ・・枢軸
９ａ，９ｂ・・枢軸
【図１】
2004019104.tif 000003
【図２】
2004019104.tif 000004
【図３】
2004019104.tif 000005
【図４】
2004019104.tif 000006
【図５】
2004019104.tif 000007